(57)【要約】【課題】本発明はビーチ庭園灯を開示した。【解決手段】環状ホルダーを含み、前記環状ホルダーの中には環状の環状溝が設置され、前記環状溝の中には環状板がスライド可能に設置され、前記環状板の前端面には照明機構が固定的に設置され、前記照明機構により照明ができ、前記照明機構は前記環状板の前端面と固定的に連結された電源を含み、前記電源の右側には前記環状板の前端面と回転可能に連結された中心軸が設置され、前記中心軸には横向き棒が固定的に設置され、前記環状板の前端面の中には前方に開口した昇降溝が設置され、前記昇降溝の下端壁には昇降ばねが固定的に設置され、前記昇降ばねの上端には前記昇降溝とスライド可能に連結された昇降棒が固定的に設置される。【選択図】図１
2020184502.tif 000002
【特許請求の範囲】
【請求項１】
正面視で、ビーチ庭園灯であって、環状ホルダーを含み、前記環状ホルダーの中には環状の環状溝が設置され、前記環状溝の中には環状板がスライド可能に設置され、前記環状板の前端面には照明機構が固定的に設置され、前記照明機構により照明ができ、前記照明機構は前記環状板の前端面と固定的に連結された電源を含み、前記電源の右側には前記環状板の前端面と回転可能に連結された中心軸が設置され、前記中心軸には横向き棒が固定的に設置され、前記環状板の前端面の中には前方に開口した昇降溝が設置され、前記昇降溝の下端壁には昇降ばねが固定的に設置され、前記昇降ばねの上端には前記昇降溝とスライド可能に連結された昇降棒が固定的に設置され、前記昇降棒の前端は外部に位置しており、前記昇降棒と前記横向き棒とは短線で固定的に連結され、前記昇降棒の上端面にはセードが固定的に設置され、前記セードの上端面にはストローブロックが固定的に設置され、前記セードの中には発光溝が設置され、前記発光溝の下端壁には電球が固定的に設置され、前記電球と前記電源とが傾斜電線により接続され、前記横向き棒が回転する時に前記短線により前記昇降棒を引き動かして前記セードを上下に運動連動させることができ、前記電源が起動する時前記傾斜電線の伝導により前記電球を発光させることができ、前記照明機構の下側には風力を利用して前記電源に電力を提供する風力発電機構が設置され、前記環状ホルダーの中には前記環状ホルダーと固定的に連結されたココヤシが設置され、前記ココヤシの前端面にはモータが固定的に設置され、前記電源と前記モータとが反り電線により接続され、前記モータの前端面には駆動軸が回転可能に設置され、前記駆動軸には転輪が固定的に設置され、前記転輪の中には弾性溝が前後対称に設置され、前記弾性溝のうち前記駆動軸に近接した端壁には弾性ばねが固定的に設置され、前記弾性ばねのうち前記駆動軸から離れた端にはもう一端が外部に位置する弾性ブロックが固定的に設置され、前記環状板の内端面には十一個の半円形ブロックと十一個の弧状ブロックが均一に固定的に設置されていることを特徴とするビーチ庭園灯。
【請求項２】
前記風力発電機構は前記環状板の前端面と固定的に連結された円柱ブロックを含み、前記円柱ブロックの中には前方に開口した円柱溝が設置され、前記円柱溝の左端壁には発電機が固定的に設置され、前記発電機と前記電源とが出力電線により接続され、前記発電機の前端面には細軸が回転可能に設置され、前記細軸の前側には太軸が設置され、前記太軸の中には後方に開口した方形溝が設置され、前記細軸の前端が前記方形溝の中に位置しており、かつ前記細軸の前端にはもう一端が前記方形溝の前端壁と固定的に連結された圧縮ばねが固定的に設置され、前記太軸には三つの羽根が固定的に設置され、前記円柱溝の右端壁には移動溝が設置され、前記移動溝の中には左端が前記円柱溝の中に位置する移動ブロックがスライド可能に設置され、前記移動ブロックの左端面には斜棒が回転可能に設置され、前記円柱ブロックの上端面にはヘリウム収集ブロックが固定的に設置され、前記ヘリウム収集ブロックの中にはヘリウム収集溝が設置され、前記ヘリウム収集溝の中には密封板がスライド可能に設置され、前記密封板の下端面には下端が前記斜棒と回転可能に連結されたガイド棒が固定的に設置され、前記細軸と前記方形溝の形状嵌合により前記太軸が前記細軸でスライドして前記移動ブロックを押して左右に運動させることができ、前記環状板の中には前方に開口した平行移動溝が設置され、前記平行移動溝の中には平行移動ブロックがスライド可能に設置され、前記平行移動ブロックの前端面には前端が外部に位置する平行移動棒が固定的に設置され、前記平行移動棒の前端には止め板が固定的に設置され、前記止め板の前端面には風船が固定的に設置され、前記風船と前記ヘリウム収集溝とがヘリウム輸送パイプにより連通されていることを特徴とする請求項１に記載のビーチ庭園灯。
【請求項３】
前記環状板の前端面には定位棒が固定的に設置され、前記定位棒の上側にはソーラーパネルが固定的に設置され、前記ココヤシには雨除け板が固定的に設置されていることを特徴とする請求項１に記載のビーチ庭園灯。
【発明の詳細な説明】
【技術分野】
【０００１】
本発明は灯具分野に関し、具体的にはビーチ庭園灯に関する。
【背景技術】
【０００２】
庭園灯は景勝地の照明に使われる灯具として、環境と一体になることが求められており、ビーチ庭園灯はその一種であり、ビーチの歩行者に照明を提供する。しかし現有のビーチ庭園灯はほとんど海辺ならではの海風を活かしておらず、環境との融和感も足りない。
【先行技術文献】
【特許文献】
【０００３】
【特許文献１】中国特許出願公開第１０５８６４７０２号明細書
【発明の概要】
【発明が解決しようとする課題】
【０００４】
本発明の目的はビーチ庭園灯を提供し、それは上記の現在の技術中の問題を解決できる。
【課題を解決するための手段】
【０００５】
本発明のビーチ庭園灯は、環状ホルダーを含み、前記環状ホルダーの中には環状の環状溝が設置され、前記環状溝の中には環状板がスライド可能に設置され、前記環状板の前端面には照明機構が固定的に設置され、前記照明機構により照明ができ、前記照明機構は前記環状板の前端面と固定的に連結された電源を含み、前記電源の右側には前記環状板の前端面と回転可能に連結された中心軸が設置され、前記中心軸には横向き棒が固定的に設置され、前記環状板の前端面の中には前方に開口した昇降溝が設置され、前記昇降溝の下端壁には昇降ばねが固定的に設置され、前記昇降ばねの上端には前記昇降溝とスライド可能に連結された昇降棒が固定的に設置され、前記昇降棒の前端は外部に位置しており、前記昇降棒と前記横向き棒とは短線で固定的に連結され、前記昇降棒の上端面にはセードが固定的に設置され、前記セードの上端面にはストローブロックが固定的に設置され、前記セードの中には発光溝が設置され、前記発光溝の下端壁には電球が固定的に設置され、前記電球と前記電源とが傾斜電線により接続され、前記横向き棒が回転する時に前記短線により前記昇降棒を引き動かして前記セードを上下に運動連動させることができ、前記電源が起動する時前記傾斜電線の伝導により前記電球を発光させることができ、前記照明機構の下側には風力を利用して前記電源に電力を提供する風力発電機構が設置され、前記環状ホルダーの中には前記環状ホルダーと固定的に連結されたココヤシが設置され、前記ココヤシの前端面にはモータが固定的に設置され、前記電源と前記モータとが反り電線により接続され、前記モータの前端面には駆動軸が回転可能に設置され、前記駆動軸には転輪が固定的に設置され、前記転輪の中には弾性溝が前後対称に設置され、前記弾性溝のうち前記駆動軸に近接した端壁には弾性ばねが固定的に設置され、前記弾性ばねのうち前記駆動軸から離れた端にはもう一端が外部に位置する弾性ブロックが固定的に設置され、前記環状板の内端面には十一個の半円形ブロックと十一個の弧状ブロックが均一に固定的に設置されている。
【０００６】
優選的には、前記風力発電機構は前記環状板の前端面と固定的に連結された円柱ブロックを含み、前記円柱ブロックの中には前方に開口した円柱溝が設置され、前記円柱溝の左端壁には発電機が固定的に設置され、前記発電機と前記電源とが出力電線により接続され、前記発電機の前端面には細軸が回転可能に設置され、前記細軸の前側には太軸が設置され、前記太軸の中には後方に開口した方形溝が設置され、前記細軸の前端が前記方形溝の中に位置しており、かつ前記細軸の前端にはもう一端が前記方形溝の前端壁と固定的に連結された圧縮ばねが固定的に設置され、前記太軸には三つの羽根が固定的に設置され、前記円柱溝の右端壁には移動溝が設置され、前記移動溝の中には左端が前記円柱溝の中に位置する移動ブロックがスライド可能に設置され、前記移動ブロックの左端面には斜棒が回転可能に設置され、前記円柱ブロックの上端面にはヘリウム収集ブロックが固定的に設置され、前記ヘリウム収集ブロックの中にはヘリウム収集溝が設置され、前記ヘリウム収集溝の中には密封板がスライド可能に設置され、前記密封板の下端面には下端が前記斜棒と回転可能に連結されたガイド棒が固定的に設置され、前記細軸と前記方形溝の形状嵌合により前記太軸が前記細軸でスライドして前記移動ブロックを押して左右に運動させることができ、前記環状板の中には前方に開口した平行移動溝が設置され、前記平行移動溝の中には平行移動ブロックがスライド可能に設置され、前記平行移動ブロックの前端面には前端が外部に位置する平行移動棒が固定的に設置され、前記平行移動棒の前端には止め板が固定的に設置され、前記止め板の前端面には風船が固定的に設置され、前記風船と前記ヘリウム収集溝とがヘリウム輸送パイプにより連通されている。
【０００７】
優選的には、前記環状板の前端面には定位棒が固定的に設置され、前記定位棒の上側にはソーラーパネルが固定的に設置され、前記ココヤシには雨除け板が固定的に設置されている。
【発明の効果】
【０００８】
本発明の有益効果は：海辺最も普通のココヤシに装着し、コストが低く、ビーチの充足した太陽エネルギーにより給電するだけではなく、正逆方向から吹いてきた海風を利用して発電し、省エネの同時に清潔した外観を保持でき、外観から見てもココヤシと変わらず周りの景色とよく馴染み、大風の時に自動的に高さを調整してより良い照明を提供できる。
【図面の簡単な説明】
【０００９】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明のビーチ庭園灯の全体断面の正面構造図
【図２】図２は図１におけるＣの拡大構造図
【図３】図３は図１におけるＡ―Ａ方向の概略図
【図４】図４は図１におけるＢ―Ｂ方向の概略図
【図５】図５は図３におけるＤの拡大構造図
【発明を実施するための形態】
【００１１】
本発明書に開示した全ての特徴、或いは開示した全ての方法、過程中のステップは、互いに排斥する特徴或いはステップ以外に、いかなる方式で組み合わせることができる。
【００１２】
図１〜５を参照し、ビーチ庭園灯であって、環状ホルダー１０を含み、前記環状ホルダー１０の中には環状の環状溝４０が設置され、前記環状溝４０の中には環状板２９がスライド可能に設置され、前記環状板２９の前端面には照明機構７０が固定的に設置され、前記照明機構７０により照明ができ、前記照明機構７０は前記環状板２９の前端面と固定的に連結された電源１５を含み、前記電源１５の右側には前記環状板２９の前端面と回転可能に連結された中心軸２７が設置され、前記中心軸２７には横向き棒１４が固定的に設置され、前記環状板２９の前端面の中には前方に開口した昇降溝３０が設置され、前記昇降溝３０の下端壁には昇降ばね２８が固定的に設置され、前記昇降ばね２８の上端には前記昇降溝３０とスライド可能に連結された昇降棒２４が固定的に設置され、前記昇降棒２４の前端は外部に位置しており、前記昇降棒２４と前記横向き棒１４とは短線で固定的に連結され、前記昇降棒２４の上端面にはセード２３が固定的に設置され、前記セード２３の上端面にはストローブロック２０が固定的に設置され、前記セード２３の中には発光溝２１が設置され、前記発光溝２１の下端壁には電球２２が固定的に設置され、前記電球２２と前記電源１５とが傾斜電線６１により接続され、前記横向き棒１４が回転する時に前記短線２６により前記昇降棒２４を引き動かして前記セード２３を上下に運動連動させることができ、前記電源１５が起動する時前記傾斜電線６１の伝導により前記電球２２を発光させることができ、前記照明機構７０の下側には風力を利用して前記電源１５に電力を提供する風力発電機構７１が設置され、前記環状ホルダー１０の中には前記環状ホルダー１０と固定的に連結されたココヤシ１８が設置され、前記ココヤシ１８の前端面にはモータ５６が固定的に設置され、前記電源１５と前記モータ５６とが反り電線６０により接続され、前記モータ５６の前端面には駆動軸５５が回転可能に設置され、前記駆動軸５５には転輪５４が固定的に設置され、前記転輪５４の中には弾性溝５９が前後対称に設置され、前記弾性溝５９のうち前記駆動軸５５に近接した端壁には弾性ばね５７が固定的に設置され、前記弾性ばね５７のうち前記駆動軸５５から離れた端にはもう一端が外部に位置する弾性ブロック５８が固定的に設置され、前記環状板２９の内端面には十一個の半円形ブロック４１と十一個の弧状ブロック４２が均一に固定的に設置されている。
【００１３】
有益的には、前記風力発電機構７１は前記環状板２９の前端面と固定的に連結された円柱ブロック３５を含み、前記円柱ブロック３５の中には前方に開口した円柱溝３４が設置され、前記円柱溝３４の左端壁には発電機３２が固定的に設置され、前記発電機３２と前記電源１５とが出力電線３１により接続され、前記発電機３２の前端面には細軸３８が回転可能に設置され、前記細軸３８の前側には太軸３９が設置され、前記太軸３９の中には後方に開口した方形溝４７が設置され、前記細軸３８の前端が前記方形溝４７の中に位置しており、かつ前記細軸３８の前端にはもう一端が前記方形溝４７の前端壁と固定的に連結された圧縮ばね５１が固定的に設置され、前記太軸３９には三つの羽根３３が固定的に設置され、前記円柱溝３４の右端壁には移動溝５３が設置され、前記移動溝５３の中には左端が前記円柱溝３４の中に位置する移動ブロックがスライド可能に設置され、前記移動ブロック５２の左端面には斜棒５０が回転可能に設置され、前記円柱ブロック３５の上端面にはヘリウム収集ブロック１１が固定的に設置され、前記ヘリウム収集ブロック１１の中にはヘリウム収集溝４８が設置され、前記ヘリウム収集溝４８の中には密封板４９がスライド可能に設置され、前記密封板４９の下端面には下端が前記斜棒５０と回転可能に連結されたガイド棒３６が固定的に設置され、前記細軸３８と前記方形溝４７の形状嵌合により前記太軸３９が前記細軸３８でスライドして前記移動ブロック５２を押して左右に運動させることができ、前記環状板２９の中には前方に開口した平行移動溝４５が設置され、前記平行移動溝４５の中には平行移動ブロック４４がスライド可能に設置され、前記平行移動ブロック４４の前端面には前端が外部に位置する平行移動棒４３が固定的に設置され、前記平行移動棒４３の前端には止め板４６が固定的に設置され、前記止め板４６の前端面には風船１３が固定的に設置され、前記風船１３と前記ヘリウム収集溝４８とがヘリウム輸送パイプ１２により連通されている。
【００１４】
有益的には、前記環状板２９の前端面には定位棒１６が固定的に設置され、前記定位棒１６の上側にはソーラーパネル１９が固定的に設置され、前記ソーラーパネル１９は太陽光を吸収して電力量に転換し、更に伝送線路６２により電源１５の中に貯蔵することができ、前記ココヤシ１８には雨除け板１７が固定的に設置されている。
【００１５】
下記に、図１〜５と上記の前記ビーチ庭園灯の具体的構成を合わせて使用方法を紹介する：初期状態の時、風船１３とヘリウム収集溝４８とがヘリウムで満たされている。
【００１６】
昼間の時、太陽があれば、ソーラーパネル１９が太陽光を吸収して電力量に転換して電源１５の中に貯蔵し、風が羽根３３を吹き動かし、太軸３９を回転連動させ、更に細軸３８を回転連動させ、発電機３２の転換により電力量に変わって電源１５の中に貯蔵され、夜になると、風向が逆になり、モータ５６を起動し、駆動軸５５を回転連動させ、更に弾性ブロック５８を回転連動させ、下側の弾性ブロック５８が半円形ブロック４１との協働により羽根３３を海風に当たるように百八十度回転連動させ、引き続き海風を利用して発電し、電源１５が定位棒１６により電球２２を発光させてビーチの照明を行い、風が強く吹いている時、羽根３３が吹かれて円柱溝３４の中に運動し、太軸３９が移動ブロック５２を押し動かして運動させ、更に密封板４９を上昇連動させてヘリウム収集溝４８の中のヘリウムを風船１３の中に押し込み、風船１３が膨らんで浮力が大きくなることで横向き棒１４が動かされて回転し、短線２６によりセード２３を引いて下降させ、ビーチにより良い照明を提供する。
【００１７】
本発明の有益効果は：海辺最も普通のココヤシに装着し、コストが低く、ビーチの充足した太陽エネルギーにより給電するだけではなく、正逆方向から吹いてきた海風を利用して発電し、省エネの同時に清潔した外観を保持でき、外観から見てもココヤシと変わらず周りの景色とよく馴染み、大風の時に自動的に高さを調整してより良い照明を提供できる。
【００１８】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020184502.tif 000003
【図２】
2020184502.tif 000004
【図３】
2020184502.tif 000005
【図４】
2020184502.tif 000006
【図５】
2020184502.tif 000007
【手続補正書】
【提出日】令和1年11月20日(2019.11.20)
【手続補正１】
【補正対象書類名】特許請求の範囲
【補正対象項目名】全文
【補正方法】変更
【補正の内容】
【特許請求の範囲】
【請求項１】
正面視で、ビーチ庭園灯であって、環状ホルダーを含み、前記環状ホルダーの中には環状の環状溝が設置され、前記環状溝の中には環状板がスライド可能に設置され、前記環状板の前端面には照明機構が固定的に設置され、前記照明機構により照明ができ、前記照明機構は前記環状板の前端面と固定的に連結された電源を含み、前記電源の右側には前記環状板の前端面と回転可能に連結された中心軸が設置され、前記中心軸には横向き棒が固定的に設置され、前記環状板の前端面の中には前方に開口した昇降溝が設置され、前記昇降溝の下端壁には昇降ばねが固定的に設置され、前記昇降ばねの上端には前記昇降溝とスライド可能に連結された昇降棒が固定的に設置され、前記昇降棒の前端は外部に位置しており、前記昇降棒と前記横向き棒とは短線で固定的に連結され、前記昇降棒の上端面にはセードが固定的に設置され、前記セードの上端面にはストローブロックが固定的に設置され、前記セードの中には発光溝が設置され、前記発光溝の下端壁には電球が固定的に設置され、前記電球と前記電源とが傾斜電線により接続され、前記横向き棒が回転する時に前記短線により前記昇降棒を引き動かして前記セードを上下に運動連動させることができ、前記電源が起動する時前記傾斜電線の伝導により前記電球を発光させることができ、前記照明機構の下側には風力を利用して前記電源に電力を提供する風力発電機構が設置され、前記環状ホルダーの中には前記環状ホルダーと固定的に連結されたココヤシが設置され、前記ココヤシの前端面にはモータが固定的に設置され、前記電源と前記モータとが反り電線により接続され、前記モータの前端面には駆動軸が回転可能に設置され、前記駆動軸には転輪が固定的に設置され、前記転輪の中には弾性溝が前後対称に設置され、前記弾性溝のうち前記駆動軸に近接した端壁には弾性ばねが固定的に設置され、前記弾性ばねのうち前記駆動軸から離れた端にはもう一端が外部に位置する弾性ブロックが固定的に設置され、前記環状板の内端面には十一個の半円形ブロックと十一個の弧状ブロックが均一に固定的に設置され、
前記風力発電機構は前記環状板の前端面と固定的に連結された円柱ブロックを含み、前記円柱ブロックの中には前方に開口した円柱溝が設置され、前記円柱溝の左端壁には発電機が固定的に設置され、前記発電機と前記電源とが出力電線により接続され、前記発電機の前端面には細軸が回転可能に設置され、前記細軸の前側には太軸が設置され、前記太軸の中には後方に開口した方形溝が設置され、前記細軸の前端が前記方形溝の中に位置しており、かつ前記細軸の前端にはもう一端が前記方形溝の前端壁と固定的に連結された圧縮ばねが固定的に設置され、前記太軸には三つの羽根が固定的に設置され、前記円柱溝の右端壁には移動溝が設置され、前記移動溝の中には左端が前記円柱溝の中に位置する移動ブロックがスライド可能に設置され、前記移動ブロックの左端面には斜棒が回転可能に設置され、前記円柱ブロックの上端面にはヘリウム収集ブロックが固定的に設置され、前記ヘリウム収集ブロックの中にはヘリウム収集溝が設置され、前記ヘリウム収集溝の中には密封板がスライド可能に設置され、前記密封板の下端面には下端が前記斜棒と回転可能に連結されたガイド棒が固定的に設置され、前記細軸と前記方形溝の形状嵌合により前記太軸が前記細軸でスライドして前記移動ブロックを押して左右に運動させることができ、前記環状板の中には前方に開口した平行移動溝が設置され、前記平行移動溝の中には平行移動ブロックがスライド可能に設置され、前記平行移動ブロックの前端面には前端が外部に位置する平行移動棒が固定的に設置され、前記平行移動棒の前端には止め板が固定的に設置され、前記止め板の前端面には風船が固定的に設置され、前記風船と前記ヘリウム収集溝とがヘリウム輸送パイプにより連通され、
前記環状板の前端面には定位棒が固定的に設置され、前記定位棒の上側にはソーラーパネルが固定的に設置され、前記ココヤシには雨除け板が固定的に設置されていることを特徴とするビーチ庭園灯。